(57)【特許請求の範囲】
【請求項１】
原水を２経路に分流する流量調整弁と、流量調整弁を流れる原水の流量を調整する調整つまみと、流量調整弁から流れる原水にカルシウムとマグネシウムを含むミネラル成分を添加する、カルシウムを充填した室とマグネシウムを充填した室とを有する添加筒と、前記添加筒を流れた水と前記流量調整弁の他方の経路から流れた原水とを混合する混合部と、混合部の水の濃度を測定する硬度センサと、前記調整つまみの調整方法を表示する表示手段と、使用者が設定する硬度設定手段と、前記表示手段を駆動する制御手段とを備え、前記制御手段は、硬度設定手段の設定値と硬度センサの測定結果に応じて表示手段の表示内容を変更するミネラル整水器。
【発明の詳細な説明】
【０００１】
【発明の属する技術分野】
本発明は一般家庭や業務用として使用される、水道水にミネラル成分を添加するミネラル整水器に関するものである。
【０００２】
【従来の技術】
健康に対する関心が高まって来るにつれて、水道水や井戸水等の原水の水質を良化する原水器やアルカリイオン整水器、ミネラル整水器等が普及してきている。
【０００３】
原水器は主に活性炭と中空糸膜により横成しており、活性炭が遊離塩素等の水中に溶け込んでいる不良成分を除去し、中空糸膜はゴミや雑菌等の水に懸濁している成分を除去するように作用するものである。
【０００４】
アルカリイオン整水器は、原水器の有している機能の他に、ミネラルを添加する機能と、水を電気分解する機能も有している。つまり、ミネラル層を通過した水に乳酸カルシウムやグリセロリン酸カルシウム等を添加する。こうしてミネラル成分が添加された水を更に電気分解することによって、酸性水とアルカリ性水とに加工するものである。この酸性水にはアストリンゼント効果が、またアルカリ性水は、慢性下痢・消化不良・胃腸内異常発酵・制酸・胃酸過多等に対して効力が認められている。
【０００５】
ミネラル整水器は、活性炭と炭酸カルシウム等のミネラル含有物質とを備えて、水中に溶け込んでいる不良成分を除去し、更にミネラル成分を添加するものである。
【０００６】
また近年、ミネラルウォータの販売の増加に伴って、前記アルカリイオン整水器で得たミネラル水にカルシウムを溶解させて、高硬度のミネラル水とするミネラル整水器も出てきている。
【０００７】
【発明が解決しようとする課題】
しかし、従来のアルカリイオン整水器やミネラル整水器は、ミネラル成分としてカルシウムだけを使用しており、健康に対する要望を十分には満足しないものである。また、ミネラル成分を添加した直後は非常に硬度の高いミネラル水とできるが、使用時間の経過と共に硬度が低下してくるものである。
【０００８】
【課題を解決するための手段】
本発明は、カルシウムとマグネシウムとを添加する添加筒を使用し、制御手段が硬度センサの測定値を受けて、添加筒から流れる水と原水とを混合する混合割合を調整するようにして、時間が経過しても硬度が低下しない、またカルシウムとマグネシウムの両方を含有するミネラル整水器としている。
【０００９】
【発明の実施の形態】
請求項１に記載した発明は、カルシウムとマグネシウムとを添加する添加筒を使用し、制御手段が硬度センサの測定値と使用者が設定する硬度設定手段の設定情報とを受けて、表示手段に調整つまみの調整方法を表示して、簡単な構成で、時間が経過しても硬度が低下しない、カルシウムとマグネシウムの両方を含有するミネラル整水器としている。
【００１０】
【実施例】
（実施例１）
以下、本発明の第１の実施例について説明する。図１は本実施例の構成を示すブロック図である。本実施例のミネラル整水器は、井戸水や水道水等の原水を、添加筒２側と混合部３側の２経路に分流する流量調整弁１と、流量調整弁１の第１の排水口１１に接続した添加筒２と、添加筒２から流れる水と流量調整弁１の第２の排水口１２から流れる原水とを混合する混合部３と、混合部３の排水口３ｃに接続した水の硬度を測定する硬度センサ４と、使用者が硬度を設定する硬度設定手段５と、前記流量調整弁１を駆動する駆動部６と、各部を制御する制御手段７とを有している。
【００１１】
流量調整弁１は、図２に示すような構成となっている。すなわち、ケース１４とケース１４内に収容したドラム１３とから成っている。ケース１４は、原水が流入する原水入口１０と、原水入口１０から入った原水の一部を添加筒２に送る第１の排水口１１と、原水入口１０から入った原水の一部を混合部３に送る第２の排水口１２とを備えている。前記流量調整弁１が有している分流機能は、ドラム１３が備えているものである。ドラム１３は、表面に溝１３ａ・溝１３ｂを有している。溝１３ａは、前記原水入口１０から入った原水を第１の排水口１１に送るときの送水量を調整する機能を有している。溝１３ｂは、同様に原水入口１０から入った原水を第２の排水口１２に送るときの送水量を調整する機能を有している。
【００１２】
前記送水量の調整機能は、溝１３ａ・溝１３ｂを図３に示した構成とすることによって実現しているものである。図３は、溝１３ａ・溝１３ｂを平面に展開した説明図である。つまり溝１３ａ・１３ｂは、ドラム１３の回転と一体になって回転しており、回転角に応じて溝幅が変化するようになっているものである。ドラム１３の回転角が０度のときには、ケース１４に設けている第２の排水口１２は溝１３ａによって開けられており、第１の排水口１１は溝１３ｂによって閉じられている。溝１３ａ・溝１３ｂの幅の変化の状態は、本実施例では互いに逆の関係となっている。このため、ドラム１３の回転によって、第１の排水口１１と第２の排水口１２の開度は互いに逆の関係となるものである。つまり、ドラム１３の回転角が０度のときには、第２の排水口１２は溝１３ａによって開度１００、すなわち全開となっており、第１の排水口１１は溝１３ｂによって開度０、すなわち全閉となっている。ドラム１３の回転角が３３０度のときには、第２の排水口１２は溝１３ａによって開度０、すなわち全閉とされ、第１の排水口１１は溝１３ｂによって開度１００、すなわち全開となっている。つまり、駆動部６がドラム１３を回転させることによって、第１の排水口１１から流れる原水の流量と、第２の排水口１２から流れる原水の流量とを一定比率で調整できるものである。
【００１３】
添加筒２は、図１に示しているように、例えばメッシュ２ａによって区切った、硫酸カルシウム等のカルシウム造粒品を充填した室と、塩基性炭酸マグネシウム等のマグネシウム造粒品を充填した室とを備えている。メッシュ２ａの穴の大きさは、水の流通は自由で、カルシウム造粒品やマグネシウム造粒品は流通できない程度としている。
【００１４】
混合部３は例えば樹脂ケースで構成しており、第１の流入口３ａと第２の流入口３ｂと、流出口３ｃを備えている。第１の流入口３ａからは、添加筒２を通った水が流入し、第２の流入口３ｂからは流量調整弁１の第２の排水口１２を通った原水が流入する。これらの水は、混合されて流出口３ｃから流出する。
【００１５】
流出口３ｃに設けている硬度センサ４は、本実施例では抵抗値を計測することによってミネラル成分の硬度を計測しているものである。
【００１６】
また硬度設定手段５は、使用者が自由にミネラル成分の硬度を設定するものであり、ここで設定された硬度は前記硬度センサ４の情報と共に制御手段７に伝達されている。制御手段７は、本実施例ではマイコンによって構成しており、硬度設定手段５に設定された硬度と硬度センサ４の情報とから駆動部６を制御しているものである。
【００１７】
以下本実施例の動作について説明する。使用者が硬度設定手段５に好みの硬度を設定して、例えば水道栓を開けて、図示してないスイッチを押すと装置は動作を開始する。すなわち、水道栓から供給される原水を硬度設定手段５に設定されている硬度のミネラル水として供給するものである。
【００１８】
原水入口１０から流入した原水は、ドラム１３の溝１３ａ・溝１３ｂによって、添加筒２から混合部３に流れる経路と、直接混合部３に流れる経路とに分流するものである。添加筒２を流れる原水には、添加筒２の中の硫酸カルシウムと塩基性炭酸マグネシウム等の溶解材料が溶解する。つまり高硬度のミネラル水が形成されるものである。この高硬度のミネラル水は、混合部３の第１の流入口３ａから混合部３に入る。また、混合部３の第２の流入口３ｂからは流量調整弁１の第２の排水口２から原水が直接流入するものである。混合部３では、例えば図示していない混合器を使用して、前記２種類の水を混合して均一にして、流出口３ｃから送水する。流出口３ｃには硬度センサ４を設けており、混合水の硬度をチェックしているものである。この硬度情報は制御手段７に伝達されており、制御手段７は、この硬度が硬度設定手段７に設定した硬度と一致していると、流出口３ｃから出た水を装置外に取り出すことが出来るように作用するものである。
【００１９】
このとき添加筒２で添加されるミネラル成分の量は（数１）で示されるものである。
【００２０】
硬度＝４×カルシウム量＋２．５×マグネシウム量            （数１）
（数１）に示している硬度は、ミネラル成分の量を炭酸カルシウム量に換算して表現しているものである。添加筒２を流れる水に含まれる炭酸カルシウムの総量（以下総硬度と称する）は（数１）に示した硬度に、原水の流量を乗じた積で表現される。図４は添加筒２を通過する水の流量と硬度、総硬度の関係の一例を示している。図中ａは硬度を、ｂは総硬度を示している。どちらも流量によって変化するものである。添加筒２を通過した水は、流量が少ないほど硬度の高いミネラル水となるが、総硬度は逆に流量が多いほど高くなるものである。
【００２１】
第１の流入口３ａから流入するミネラル水の流量と、第２の流入口３ｂから流入する原水の流量との合計を総流量とすると、混合部４で生成されるミネラル水の硬度は、硬度＝総硬度／総流量となる。つまり混合部４で生成される硬度を上げるためには、総流量を減らすか、総硬度を上げることが必要である。
【００２２】
本実施例では、制御手段７は（濃度センサの硬度）＞（設定硬度）の時は、ミネラル水側の流量を減らす方向に、つまり第１の排水口１１から排水される原水の流量を減らす方向に、（濃度センサの硬度）＜（設定硬度）の時は、ミネラル水側の流量を増やすように制御しているものである。すなわち、制御手段７が駆動部６を駆動し、駆動部６が流量調整弁１を制御するものである。
【００２３】
以上のように本実施例によれば、カルシウムだけでなくマグネシウムも添加した高硬度のミネラル水を作ることができる。
【００２４】
なお本実施例で、添加筒２にメッシュ２ａを使用している理由は、異なった材料の造粒品が混ざりあうことによって、それぞれの溶解度が変化することを防止するためである。
【００２５】
また本実施例で、流量調整弁１に分流機能を持たせるようにしているが、分流機能を流量調整弁１とは別の構成にしても支障はないものである。
【００２６】
また本実施例では、流量調整弁１を原水に近い側に配置しているが、添加筒２の後に設けるようにしても支障はないものである。
【００２７】
また本実施例では、流量調整弁１をケース１４とドラム１３で構成しているが、ニードルを使用して流量を調整できる構成としてもよいものである。
【００２８】
また本実施例では混合部３はただ自然に混ぜるだけの機能を有するものとしているが、例えば流量計等を使用して積極的に混ぜる構成とすることもできる。
【００２９】
（実施例２）
次に、本発明の第２の実施例について説明する。図５は本実施例の構成を示すブロック図である。つまり本実施例では、表示手段１５と調整つまみ１６を備えているものである。表示手段１５としては本実施例ではＬＥＤを使用しているが特にＬＥＤに限定する必要はないものである。また調節つまみ１６は、流量調整弁１を構成するドラム１３に接続しているもので、調整つまみ１６を手動で回転させることによって、第１の排水口１１から流れる原水の流量と、第２の排水口１２から流れる原水の量を調整できるものである。
【００３０】
以下本実施例の動作を説明する。制御手段７は、硬度センサ４の情報と硬度設定手段５の設定硬度とを比較して、表示手段１５の表示内容を変更するものである。つまり、硬度センサ４の測定硬度の方が硬度設定手段５に設定されている硬度よりも高い時には、第１の排水口１１を流れる原水の水量を減少する方向に表示手段１２を駆動するものであり、硬度センサ４の測定硬度の方が硬度設定手段５に設定されている硬度より低い時には第１の排水口１１を流れる原水の流量が多くなるように表示手段１２を駆動するものである。この表示手段の駆動は、例えば１個のＬＥＤを点灯・点滅して行っても、また２個のＬＥＤを使用して一方を点灯し他方を消灯することによって行うようにしても良いものである。使用者はこの表示手段１５の表示を見ることによって、調整つまみ１６を回転させて、第１の排水口１１から流れる原水の流量を多くしたりあるいは少なくしたりするように調整するものである。こうして硬度設定手段５に設定されている硬度のミネラル水を供給できるものである。
【００３１】
以上のように本実施例によれば、特に駆動部６を使用しない簡単な構成のミネラル整水器を実現できるものである。
【００３２】
（実施例３）
続いて本発明の第３の実施例について説明する。図６は、本実施例のミネラル整水器が使用しているドラム１３が有している溝１３ａ・溝１３ｂの形状を説明しているものである。本実施例では、角度２００〜３３０度では第２の排水口１２を止水しているものである。
【００３３】
以上の構成で、本実施例の流量調整弁１は、高ミネラルモードの動作領域を有するものとなっている。つまり、ドラム１３の回転角度が２００〜３３０度の間は第２の排水口１２を止水している状態で、第１の排水口１１を開いているものである。従ってこの回転角の間は、原水が流入することがなく、高ミネラルモードとなっているものである。すなわち本実施例は、添加筒２内に残存している硫酸カルシウムと塩基性炭酸マグネシウム等の溶解材料が少なくなっている場合に有効に働くものである。溶解材料が少なくなると、目標の硬度がでにくくなるものであり、この状態で高濃度のミネラル水が必要になった時でも、本実施例のミネラル整水器を使用すれば高濃度のミネラル水を提供できるものである。
【００３４】
また本実施例によれば、溶解材料が少なくなっても調整ができるため、長寿命化したミネラル整水器を実現できるものである。
【００３５】
（実施例４）
続いて本発明の第４の実施例について説明する。図７は、本実施例のミネラル整水器が使用しているドラム１３が有している溝１３ａ・溝１３ｂの形状を説明しているものである。本実施例では第１の排水口１１を止水し、第２の排水口１２のみを通水する原水モードを有している。
【００３６】
以下、本実施例の動作を説明する。本実施例ではドラム１３を回転させて角度０度〜４０度に移動させると、第２の排水口１２が開いて、第１の排水口１１が閉じる原水モードとすることができる。つまりこの間は、流量調整弁１からは原水だけが供給されるものである。このため本実施例によれば、流量調整弁１を使用してミネラルを添加した高硬度のミネラル水を供給するだけではなく、原水をそのまま供給することもできる。従って本実施例によれば、原水から高硬度のミネラル水までを供給できるミネラル整水器を実現できるものである。
【００３７】
（実施例５）
次に、本発明の第５の実施例について説明する。図８は、本実施例のミネラル整水器が使用しているドラム１３が有している溝１３ａ・溝１３ｂの形状を説明しているものである。本実施例では、角度０〜４０度は原水モード、角度４０〜２００度は低ミネラルモード、角度２００〜３３０度は高ミネラルモードとなっている。つまり、角度０〜４０度は第１の排水口１１を止水しており、角度４０〜２００度は第１の排水口１１と第２の排水口１２の開度を変えており、角度２００〜３３０度の間は第２の排水口１２を止水しているものである。実際には角度４０〜２００度の間は、ドラム１１の回転に応じて第１の排水口１１と第２の排水口１２とが相対的に上下に動いて、開口部面積が変化し流量比が変わる様になっている。
【００３８】
以下、本実施例の動作を説明する。本実施例ではミネラル水と原水の混合液の流量比を調整する低ミネラルモードだけでなく、ミネラル水側を止水した状態で原水だけをそのまま通過させる原水モードと、下水側を止水した状態でミネラル水側のみの流量を調整する高ミネラルモードを有しているものである。
【００３９】
使用者が原水モードを指示した時には、制御手段７が駆動部６を駆動し、流量調整弁１の角度が０度〜４０度になるように動作して、原水を供給するものである。また、使用者が例えば硬度設定手段５に設定する硬度を、原水の硬度から１０ｐｐｍ程度増加させる場合には、前記低ミネラルモードで動作するものである。つまり制御手段７は駆動部６を駆動して、流量調整弁１の角度が４０度〜２００度となるように、硬度センサ５の出力に応じて駆動部７を駆動するものである。また使用者の設定硬度が３００ｐｐｍ程度を越えると、高ミネラルモードで動作するものである。つまり、この場合には制御手段７は流量調整弁１の角度が２００度〜３３０度となるように、硬度センサ５の出力に応じて駆動部７を駆動するものである。
【００４０】
以上のように本実施例のミネラル整水器によれば、原水から高硬度のミネラル水までを生成できるものである。
【００４１】
（実施例６）
次に、本発明の第６の実施例を図９を使用して説明する。図９は、本実施例のミネラル整水器が使用している流量調整弁１を構成するドラム１３が有している溝１３ｂの形状を説明しているものである。本実施例では、第１の排水口１１を流れる原水の流量を調整する溝１３ｂは、流量が多い時には単位角度あたりの流量変化である流量変化率を大きく、流量が少ない時には前記流量変化率が小さくなるように構成している。すなわち、溝１３ｂの幅の変化率に差を設けているものである。
【００４２】
以下、本実施例の動作を説明する。低ミネラルモードで、流量調整弁１の第１の排水口１１を流れる原水の流量が少ない時には、混合部３で混合されるミネラルの増加硬度は少なくなる。図１０は流量調整弁１の弁角度とミネラル水の増加硬度との関係を示している。図１０の横軸は弁角度、縦軸は増加硬度を示している。この図から判るように、硬度が増加するに従って、弁角度１度あたりの硬度の変化の状態が変わっているものである。すなわち、使用者が硬度設定手段５に設定する硬度が低いほど、換言すれば原水からの硬度の増加程度が少ないほど、流量変化率が低くなるように、また原水からの増加硬度が多い時には流量変化率を大きくなるように溝１３ｂの形状を決定しているものである。これによって、流量調整弁１の回転角度の調整が、高硬度の場合は粗く、低硬度の場合には細かく動かすことができ、硬度の調整が容易な流量調整弁３とすることができるものである。
【００４３】
以上のように本実施例によれば、原水からの増加硬度が小さい時には調整幅を小さく、増加硬度が高い時には調整幅を大きくして調整幅／増加硬度の比率を増加硬度が変わっても同じになるようにしているものである。従って硬度の調整が低硬度であっても高硬度であっても容易に実行できるミネラル整水器を実現できるものである。
【００４４】
なお本実施例では、流量調整弁１の調整は、図１に示しているように駆動部６を使用して自動的に行うようにしているが、図５に示しているように調整つまみ１３を使用して手動で実行するようにしても支障はないものである。
【００４５】
（実施例７）
次に、本発明の第７の実施例を図１１を使って説明する。図１１は本実施例のミネラル整水器が使用している流量調整弁１を構成するドラム１３が有している溝１３ａの形状を説明しているものであり、溝１３ａを平面に展開した説明図である。本実施例の溝１３ａは、流量調整弁１の第２の排水口１２から流れる原水の流量が多くなるほど流量変化率が低くなるように、原水の流量が少なくなるほど流量変化率が高くなるように構成している。
【００４６】
以上の構成として、実施例６で説明したように、原水からの増加硬度が少ない時には流量変化率を少なく、原水からの増加硬度が多い時には流量変化率を大きくするような調整が容易に出来るものである。つまり、流量調整弁１の回転角度の調整が、高硬度の場合は粗く、低硬度の場合には細かく動かすようにして、混合部３に流入する原水の流量を調整できるものである。
【００４７】
（実施例８）
続いて本発明の第９の実施例を図１２を使って説明する。図１２は、本実施例のミネラル整水器が使用している流量調整弁１を構成するドラム１３が有している溝１３ａの形状を説明しているものであり、溝１３ａ・溝１３ｂを平面に展開した説明図である。本実施例では、流量調整弁１は、硬度設定手段５に設定されている硬度が高くなるにしたがって総流量が少なくなるように構成しているものである。
【００４８】
以下、本実施例の動作を説明する。図４で説明したように、混合部３で生成されるミネラル水の硬度は、流量が少ないほど高硬度のものを生成しやすく、流量が多いほど高硬度のものを生成しにくくなる。本実施例の流量調整弁１は、角度０度のときに第２の排水口１２から流れる原水の総流量が最大となるように溝１３ａの溝幅を一番大きくしてある。硬度が少し上昇する低ミネラルモードでは、第２の排水口１２から流れる原水の流量は角度が増加するにしたがって減少し、角度２００度で流量が０になり、第１の排水口１１から流れる原水の流量は逆に角度２００度で最大となっている。本実施例によれば、この角度２００度の時でも、総流量は低ミネラルモードの時より少なくなるように流量調整弁１の溝１３ａを構成しているものである。
【００４９】
実施例１から実施例７で説明した構成では、起動してから硬度設定手段５に設定されている硬度に達するまでの時間が長くかかったり、あるいは原水を止めるまでの間の捨て水が多くなるものである。この結果、使用する原水の総量が多くなって、ミネラル溶解材料の消費が早くなるものである。この点本実施例の構成によれば、角度２００度から角度３３０度の高ミネラルモードでは、第２の排水口１２から流れる原水の流量を０とし、第１の排水口１１から添加筒２に流れる原水のみとしている。この構成とすることによって、混合部３には添加筒２を通った水だけが溜まることになって、高硬度のミネラル水を容易に入手できるものである。
【００５０】
（実施例９）
次に、本発明の第９の実施例を図１３を使って説明する。図１３は本実施例の構成を示すブロック図である。本実施例では、総流量を測定する流量センサ１７と、表示手段１６を備えているものである。流量センサ１７は、混合部３の排水口３ｃに接続している。
【００５１】
以下、本実施例の動作を説明する。混合部３で生成されるミネラル水の硬度は図４で説明したように、流量が少ないほど高硬度のものを生成しやすく、流量が多くなるほど高硬度のものが生成しにくくなる。すなわち、高硬度のミネラル水を作る時には流量を少なく、低硬度のミネラル水を作る時には流量を多くすることが好ましい。また原水をそのまま使用するときには、さらに多くの流量を多くすることが好ましいものである。本実施例では、制御手段７は硬度設定手段５に設定されている硬度が高くなるほど、総流量を減少させるように表示手段１８に表示を行っているものである。硬度設定手段５に設定されている硬度に対して、流量センサ１７の測定値が多い時には、総流量を減少させるように表示手段１８に表示させるものである。また、硬度設定手段５に設定されている硬度に対して、流量センサ１７の測定値が少ない時には総流量を増やすように表示するものである。使用者は、この表示を見て、例えば水道栓の開度を調整して、その時点までの原水の供給量よりも少ないあるいは多い原水を流量調整弁１に供給するものである。
【００５２】
以上のように本実施例によれば、硬度設定手段に設定されている硬度が高くなるほど、総流量を減少させるように指示することによって、硬度の調整が容易に出来るミネラル整水器を実現しているものである。
【００５３】
（実施例１０）
続いて本発明の第１０の実施例について説明する。図１４は本実施例の構成を示すブロック図である。本実施例では、原水時とミネラル添加時で流路を切替える切替弁２０を配置しているものである。
【００５４】
この構成とすることによって、ミネラル添加時には、切替弁２０を流量調整弁１側に設定して、ミネラル水を製造するものである。また例えば水道水等の原水をそのまま使用するときには、切替弁２０を原水側に設定するものである。
【００５５】
以上のように、本実施例によれば原水から高濃度のミネラル水までを容易に供給できるミネラル整水器を実現できるものである。また特に、原水の供給時には流量調整弁１による圧損の影響を受けることがなく大量の原水を供給できるものである。
【００５６】
【発明の効果】
請求項１に記載した発明は、原水を２経路に分流する流量調整弁と、流量調整弁を流れる原水の流量を調整する調整つまみと、流量調整弁から流れる原水にカルシウムとマグネシウムを含むミネラル成分を添加する、カルシウムを充填した室とマグネシウムを充填した室とを有する添加筒と、前記添加筒を流れた水と前記流量調整弁の他方の経路から流れた原水とを混合する混合部と、混合部の水の濃度を測定する硬度センサと、前記調整つまみの調整方法を表示する表示手段と、使用者が設定する硬度設定手段と、前記表示手段を駆動する制御手段とを備え、前記制御手段は、硬度設定手段の設定値と硬度センサの測定結果に応じて表示手段の表示内容を変更する構成として、簡単な構成で、時間が経過しても硬度が低下しない、カルシウムとマグネシウムの両方を含有するミネラル整水器を実現するものである。
【図面の簡単な説明】
【図１】本発明の第１の実施例であるミネラル整水器の構成を示すブロック図
【図２】同、流量調整弁の構成を示す斜視図
【図３】同、流量調整弁の溝の形を示す説明図
【図４】同、流量と硬度、総硬度の関係を示す特性図
【図５】本発明の第２の実施例であるミネラル整水器の構成を示すブロック図
【図６】本発明の第３の実施例であるミネラル整水器に使用している流量調整弁の溝の形を示す説明図
【図７】本発明の第４の実施例４であるミネラル整水器に使用している流量調整弁の溝の形を示す説明図
【図８】本発明の第５の実施例であるミネラル整水器に使用している流量調整弁の溝の形を示す説明図
【図９】本発明の第６の実施例であるミネラル整水器に使用している流量調整弁の溝の形を示す説明図
【図１０】同、流量調整弁の弁角度とミネラル水の増加硬度との関係を示す特性図
【図１１】本発明の第７の実施例であるミネラル整水器に使用している流量調整弁の溝の形を示す説明図
【図１２】本発明の第８の実施例であるミネラル整水器が使用している流量調整弁の溝の形状を説明図
【図１３】本発明の第９の実施例であるミネラル整水器の構成を示すブロック図
【図１４】本発明の第１０の実施例であるミネラル整水器の構成を示すブロック図
【符号の説明】
１  流量調整弁
２  添加筒
３  混合部
４  硬度センサ
５  硬度設定手段
６  駆動部
７  制御手段
１３  ドラム
【図１】
0003624664.tif 000002
【図２】
0003624664.tif 000003
【図３】
0003624664.tif 000004
【図４】
0003624664.tif 000005
【図５】
0003624664.tif 000006
【図６】
0003624664.tif 000007
【図７】
0003624664.tif 000008
【図８】
0003624664.tif 000009
【図９】
0003624664.tif 000010
【図１０】
0003624664.tif 000011
【図１１】
0003624664.tif 000012
【図１２】
0003624664.tif 000013
【図１３】
0003624664.tif 000014
【図１４】
0003624664.tif 000015